(57)【要約】【課題】外箱の左右側面板の剛性を高めて、脱水時の振動を低減する。【解決手段】縦長の略直方体の外箱４１構造を縦長略矩形の側面板３６で支える外箱構成にあって、左右の側面板３６は、プレス加工等の薄板鋼板で構成し、側面板３６に水平方向に凹状に凹状絞り部３７を複数条形成し、かつ、凹状絞り部３７の上下幅（Ｐ）は、凹状絞り部間の上下幅（Ｔ）より大きくしたもので、左右の側面板３６の面剛性が向上し、左右の側面板３６の持つ共振周波数を高く設計できるので、高速脱水時の共振周波数から大きくずらせて回避することが可能になり、振動を低減することができる。【選択図】図１
2010063893.tif 000002
【特許請求の範囲】
【請求項１】
外箱を構成する左右側面板と、
前記外箱の前方部を構成し前面中央に開閉自在にドアを配した前面化粧カバーとを備え、
前記左右の側面板は、プレス加工等の薄板鋼板で構成し、
側面板に水平方向に凹状絞り部を複数条形成し、前記凹状絞り部の上下幅は、凹状絞り部間の非絞り部の上下幅より大きく設定したドラム式洗濯機。
【請求項２】
凹状絞り部は、鉛直方向の断面形状が、略円弧形状になるように形成した請求項１記載のドラム式洗濯機。
【請求項３】
凹状絞り部は、水平方向両端形状が、略円弧形状になるように形成した請求項１または２に記載のドラム式洗濯機。
【請求項４】
凹状絞り部は、水平方向両端形状が、側面板の外郭形状に沿った形状に形成した請求項１または２に記載のドラム式洗濯機。
【発明の詳細な説明】
【技術分野】
【０００１】
本発明は、ドラム式洗濯機の外箱側面の構成に関するものである。
【背景技術】
【０００２】
従来、この種のドラム式洗濯機は、前方にドアで開口する外箱開口部を備えた外箱を、左右面を縦長形状の両側面鋼板等で、縦長矩形の略箱形状に構成している（例えば、特許文献１参照）。
【０００３】
図６は、特許文献１に記載された従来のドラム式洗濯機の外観斜視図を示し、図７は、同外箱構造の正面斜視図である。
【０００４】
図６に示すように、外箱構成は、前面には、各種操作キーや表示器が配置された操作パネル５、ドア２を開閉自在に配した前面化粧カバー１１２、前面化粧カバー１１２の下方を被覆する前面下部カバー１１３と脚部が取り付けられた脚台１１４を構成し、上面には上面化粧カバー１１１を配し、側面には右側面板１０２（左側面には図示していないが左右対称に左側面板）を配して、略箱形状に構成する。
【０００５】
これら各部材で、上面化粧カバー１１１、前面化粧カバー１１２、前面下部カバー１１３、脚台１１４等は加工性の良い合成樹脂部材が多用され、右側面板１０２は強度の高い鋼板製の板金部材が多用される。
【０００６】
図７の構造正面斜視図において、図６で述べた上面化粧カバー１１１、前面化粧カバー１１２、前面下部カバー１１３、脚台１１４等の合成樹脂部材を取り除いた構成を示している。左右対称で一対の薄板鋼板等で構成された左側面板１０１と右側面板１０２の前面部には、前板枠板１０３が差し渡されて固定され、前板枠板１０３には、耐熱ガラスなどの透明部材で構成された透視窓体５３を内方に保持したドア５１を開閉自在に軸支する。
【０００７】
更に左側面板１０１と右側面板１０２の上面部には、上前部補強板１０５、上後部補強板１０６を、左側面板１０１と右側面板１０２の前面下方部には、前部補強板１０４を差し渡し固着して、外箱の枠体を構成する。上記前板枠板１０３、上前部補強板１０５、上後部補強板１０６、前部補強板１０４等の部材は、金属加工した鋼板が多用される。
【０００８】
上記のような外箱構成では、外箱を構成する部材の重量は、右側面板１０２と左側面板１０１にて支えられるので、この右側面板１０２と左側面板１０１には強度が求められるが、一方、外箱の軽量化、省資源といった点からはできるだけ鋼板の板厚を薄くすることが求められている。したがって、従来からこの種の右側面板１０２と左側面板１０１は、複数条の上下方向のビード状補強凹状絞り部１２０を形成し断面係数を高めて対応してきた。
【０００９】
なお、凹状絞り部１２０の形状は、例えば側面板の板厚を０．６ｍｍとした場合絞りの深さは１ｍｍ前後に加工するのが一般的であった。
【先行技術文献】
【特許文献】
【００１０】
【特許文献１】特開２００７−１９５８５９号公報
【発明の概要】
【発明が解決しようとする課題】
【００１１】
しかしながら、前記従来の構成では、洗濯〜乾燥までの所要時間短縮のために脱水の高速回転化を図った際に、外箱構造の剛性不足により、左右側面板の振動が大きくなるという課題を有していた。特に、左右側面板の固有振動数が脱水運転時の振動数に近いと共振を生じ、更に振動が大きくなるという課題や、側面板の薄板化には困難があった。
【００１２】
また、ドア開き状態でドアの上方や、外箱上方から押さえ込むような異常な荷重が加えられた場合には、それらの荷重はすべて側面板で支えることになるので、薄板化が困難でもあった。
【００１３】
本発明は、前記従来の課題を解決するもので、脱水性能向上を目的に脱水回転数を高めても、側面板の剛性を高め、振動を低減し、省資源も可能なドラム式洗濯機を提供することを目的とする。
【課題を解決するための手段】
【００１４】
前記従来の課題を解決するために、本発明のドラム式洗濯機は、外箱を構成する左右側面板と、前記外箱の前方部を構成し前面中央に開閉自在にドアを配した前面化粧カバーとを備え、前記左右の側面板は、プレス加工等の薄板鋼板で構成し、側面板全面に水平方向に凹状絞り部を複数条形成し、前記凹状絞り部の上下幅は、凹状絞り部間の非絞り部の上下幅より大きくしたものである。
【００１５】
また、本発明のドラム式洗濯機は、外箱を構成する左右側面板と、前記外箱の前方部を構成し前面中央に開閉自在にドアを配した前面化粧カバーとを備え、前記左右の側面板は、プレス加工等の薄板鋼板で構成し、側面板に水平方向に凹状絞り部を複数条形成し、前記凹状絞り部の上下幅は、凹状絞り部間の非絞り部の上下幅より大きくしたものである。
【００１６】
これによって、左右側面板の面剛性が向上し、左右側面板の持つ共振周波数を高く設定できるので、高速脱水時の共振周波数から大きくずらせて回避することが可能になり、振動を低減でき、側面板の薄板化等の省資源も可能となる。
【発明の効果】
【００１７】
本発明のドラム式洗濯機は、高速脱水時の外箱の振動を低減することができる為、低振動・低騒音かつ、洗濯〜乾燥までの所要時間を短縮することができる。
【図面の簡単な説明】
【００１８】
【図１】本発明の実施の形態１におけるドラム式洗濯機の外観斜視図
【図２】同ドラム式洗濯機の側面板の正面図及びＡ−Ａ部断面図
【図３】（ａ）本発明の実施の形態２におけるドラム式洗濯機の側面板の正面図（ｂ）同ドラム式洗濯機の側面板のＢ−Ｂ断面図
【図４】（ａ）本発明の実施の形態３におけるドラム式洗濯機の側面板の正面図（ｂ）同ドラム式洗濯機の側面板のＣ−Ｃ断面図
【図５】（ａ）本発明の実施の形態４におけるドラム式洗濯機の側面板の正面図（ｂ）同ドラム式洗濯機の側面板のＤ−Ｄ断面図
【図６】従来のドラム式洗濯機の外観斜視図
【図７】同従来のドラム式洗濯機の外箱構造の正面斜視図
【発明を実施するための形態】
【００１９】
第１の発明は、外箱を構成する左右側面板と、前記外箱の前方部を構成し前面中央に開閉自在にドアを配した前面化粧カバーとを備え、前記左右の側面板は、プレス加工等の薄板鋼板で構成し、側面板に水平方向に凹状絞り部を複数条形成し、前記凹状絞り部の上下幅は、凹状絞り部間の非絞り部の上下幅より大きく設定したことにより、側面板の面剛性を高め、側版フレームの持つ共振周波数を大きくすることで、脱水時の振動周波数から遠ざけて、高速脱水時の外箱の振動を低減することができる。
【００２０】
第２の発明は、特に、第１の発明の凹状絞り部は、鉛直方向の断面形状が、略円弧形状になるように形成したことにより、振動低減の効果を有しつつ、材料の伸び率を削減することができるので、プレス成型時のソリやネジレを低減した外観の優れた外箱を実現できる。
【００２１】
第３の発明は、特に、第１または２の発明の凹状絞り部は、水平方向両端形状が、略円弧形状になるように形成したことにより、なだらかに所定の絞り深さに移行させるので、プレス成型時のソリやネジレを低減しつつ、側面板の面剛性を高めることができる。
【００２２】
第４の発明は、特に、第１または２の発明の凹状絞り部は、水平方向両端形状が、側面板の外郭形状に沿った形状に形成したことにより、なだらかに所定の絞り深さに移行させるとともに、プレス成型時のソリやネジレを低減しつつ、デザイン性も優れた商品にできる。
【００２３】
以下、本発明の実施の形態について、図面を参照しながら説明する。なお、本実施の形態によって本発明が限定されるものではない。
【００２４】
（実施の形態１）
図１は、本発明の第１の実施の形態におけるドラム式洗濯機の外観斜視図を示し、図２は、同ドラム式洗濯機の側面板の正面図及びＡ−Ａ部の断面図を示すものである。
【００２５】
図１において、縦長略直方体の外箱４１構成を説明すると、上面に上面化粧カバー３０、前面上方に表示等も備えた操作パネル３１、前面中央に開閉自在にドア３２を配した前面化粧カバー３３、前面下方に前面下部カバー３４、下方には脚部３９を取り付けた脚台３５を構成する。
【００２６】
外箱４１の側面には、薄板鋼板で形成した縦長略矩形の側面板３６（図１は右側面板を図示しており左右対称に反対側には左側面板が存在する）で外箱全体構成の重量を脚台３５と共に支えるものである。
【００２７】
上記側面板３６には、製品持ち運び用の把手部３８や、注意シール等貼りつけ凹部４０を形成しているので、その部分は除いて、側面全面に水平方向に長手方向を有する凹状絞り部３７を複数条形成している。
【００２８】
図２において、水平方向に設けられた１１の凹状絞り部３７は、各々の上下方向の高さＰ（幅）を約５０ｍｍ、絞り深さＱを約３．５ｍｍの略矩形形状の、側板水平方向に絞り加工を施すことで、側面板全体の面剛性を高めている。
【００２９】
ここで、上記前記の面剛性を更に高めるために、凹状絞り部３７の上下幅Ｐは、凹状絞り部３７相互間の非絞り部の上下幅Ｔより大きく設定（Ｐ＞Ｔ）することで、凹状絞り部３７が加工されて無い部分の面積に較べ、絞り加工がなされた部分即ち塑性変形を生じている部分の面積比率を大きくすることにより、面剛性を高めることができる。
【００３０】
上記のような構成において、鋼板材質のフレームの板厚を０．６ｍｍとした場合、上記の凹状絞り部３７がプレス加工された場合の振動の共振周波数を、従来例と比較解析した面振動状態の結果を表１に記す。
【００３１】
【表１】
2010063893.tif 000003
【００３２】
上記表１の各共振周波数に近い周波数で加振されると側面板が大きく振動し、外箱の振動が大きくなる。
【００３３】
一方、脱水運転時の脱水回転数は通常１６００ｒ／ｍｉｎ前後であり、振動数は２６．６Ｈｚとなり、上表の１次共振点の値と比較すると、従来の側面板の１８．８Ｈｚが近い数値で、一方、本発明の実施の形態１の側面板では３７．６Ｈｚで脱水運転時の振動数より大きく離れていることが判る。
【００３４】
即ち、側面板３６全面に水平方向に凹形状に凹状絞り部３７を複数条形成し、その凹状絞り部面積、即ち塑性変形をしている面積を、凹状絞り部３７を加工していない部分の面積より広くすることにより、側面板３６全体の面剛性を高め、側面板３６の持つ共振周波数を大きくし、脱水時の振動周波数から遠ざけることで外箱４１の振動を低減することができるので、脱水回転数を高めて運転時間を短縮したり、側面板３６の薄板化即ち省資源につなげることができる。
【００３５】
本実施の形態１で、凹状絞り部３７を側面板全面に水平方向に設定しているが、これは側面板３６が縦方向に縦長略矩形をしているので、凹状絞り部３７の上下幅として設定した寸法Ｐが一定ならば、凹状絞り部３７の数を多数構成できるからで、凹状絞り部３７を多数構成して面剛性を高める為である。
【００３６】
なお、側面板３６の外周縁たとえば後方縁４５と、凹状絞り部３７との距離Ｓも凹状絞り部３７の上下幅Ｐに較べてＰ＞Ｓと設定し、絞り加工がなされた部分即ち塑性変形を生じている部分の面積を可能な限り増やすことで、面剛性を更に高めることができる。
【００３７】
（実施の形態２）
図３は、本発明の第２の実施の形態におけるドラム式洗濯機の側面板の正面図及びＢ−Ｂ断面図を示すものである。実施の形態１と同一形状のものについては、同一符号を付して説明を省略する。
【００３８】
側面板３６の凹状絞り部３７を、断面Ｂ−Ｂに示すように、鉛直断面方向で半径Ｒを約９０ｍｍの略円弧形状４２で、最大深さＱを約３．５ｍｍに形成することにより、側面板の垂直方向の材料の伸び率を削減することができ、プレス成型時のソリやネジレを低減でき、また型締め力も低減できるため、設備投資も抑制しつつ側面板の持つ共振周波数をたかめることができる。実施の形態１と同一形状のものについては、同一符号を付して説明を省略する。
【００３９】
（実施の形態３）
図４は、本発明の第３の実施の形態におけるドラム式洗濯機の側面板の正面図及びＣ−Ｃ断面図を示すものである。実施の形態１と同一形状のものについては、同一符号を付して説明を省略する。
【００４０】
側面板３６の凹状絞り部３７を上下方向の高さＰ（幅）を約５０ｍｍ、最大絞り深さＱを約３．５ｍｍで、平面形状の水平方向両端部の半径Ｖを約２５ｍｍの円形端部４３になるように形成し、なだらかに絞り深さＱに移行することで、プレス成型時のソリやネジレを低減できる。
【００４１】
（実施の形態４）
図５は、本発明の第４の実施の形態におけるドラム式洗濯機の側面板の正面図およびＤ−Ｄ断面図を示すものである。実施の形態１と同一形状のものについては、同一符号を付して説明を省略する。
【００４２】
側面板３６の凹状絞り部３７を上下方向の高さＰ（幅）を約５０ｍｍ、最大絞り深さＱを約３．５ｍｍで、平面形状の水平方向両端部の形状が、側面板３６の外郭形状に沿った形状４４に形成するとともに、水平方向に対し任意の角度で傾いた傾斜面４６を形成し、なだらかに絞り深さＱに移行することにより、プレス成型時のソリやネジレを低減しつつ、高速脱水時の振動低減を図るとともに、デザイン性にも優れた商品とすることができる。
【産業上の利用可能性】
【００４３】
以上のように、本発明にかかるドラム式洗濯機は、側面板の面剛性を高めることにより共振周波数を脱水運転時の振動数から大きくずらせることができるので、脱水時の外箱振動を低減させることができるため、低振動・低騒音かつ、脱水回転数を高めることが可能となり、洗濯〜乾燥までの所要時間を短縮することができる。また、側面板の板厚を低減する等の省資源も可能となる。
【符号の説明】
【００４４】
３１  操作パネル
３２  ドア
３３  前面化粧カバー
３４  前面下部カバー
３６  側面板
３７  凹状絞り部
４１  外箱
４２  略円弧形状
４３  円形端部
４４  傾斜面
【図１】
2010063893.tif 000004
【図２】
2010063893.tif 000005
【図３】
2010063893.tif 000006
【図４】
2010063893.tif 000007
【図５】
2010063893.tif 000008
【図６】
2010063893.tif 000009
【図７】
2010063893.tif 000010